(57)【要約】      （修正有）【課題】雨の日や湿度の高い日にヘアアレンジが崩れる課題を解決しながら、外出先で巻き髪へのヘアチェンジを容易にするヘアカラーを提供する。【解決手段】スタイリング時のみに使用するヘアカーラーと異なり、芯材１にスポンジ３を巻き付けたロール部の両端面にリボン２を装着した装飾性を有する。さらにヘアクリップ４に専用のリボン５を装着し、ロール部とヘアクリップ４を組み合わせることで巻き髪を保持し、かつ巻き髪を完成させる。ロール部は、滑り止めのスポンジ３で包むことで髪がしっかり巻き付くようにしている。さらにロール部の上からリボン５を装着したヘアクリップ４をはさみ、ヘアアレンジを容易にしている。外出時、目的地でヘアカーラーを外すことで巻き髪スタイルになる機能性も兼ね備え、結婚披露宴等のフォーマルな場面でも役立つ。【選択図】図１
0003205685.tif 000002
【実用新案登録請求の範囲】
【請求項１】
円筒状のロール部に第１の装飾部材を付けたことを特徴とするヘアカーラー。
【請求項２】
ロール部に髪を巻きつけた後、第２の装飾部材を付けたヘアクリップではさむことを特徴とする外出用のヘアカーラー。
【請求項３】
ヘアクリップは、第１の歯状部と第２の歯状部とを含み、
第２の装飾部材は、第１の歯状部に取り付けられた第１の装飾部と、第２の歯状部に取り付けられた第２の装飾部と、第１の装飾部と第２の装飾部とをつなぐ第３の装飾部とを含む、請求項２に記載のヘアカーラー。
【請求項４】
ロール部の外周に、滑り止め部材が巻き付けられている、請求項１〜３のいずれか１項に記載のヘアカーラー。
【請求項５】
ロール部は、両端面が閉じた閉鎖型である、請求項１〜４のいずれか１項に記載のヘアカーラー。
【請求項６】
ロール部は、両端面のうち少なくとも一方が開放する開放型である、請求項１〜４のいずれか１項に記載のヘアカーラー。
【請求項７】
ロール部の外周に、滑り止め部材が巻き付けられており、
開放側の端部には第１の装飾部材が取り付けられ、第１の装飾部材は、ロール部の外周と滑り止め部材との間に挟まれた状態で保持されている、請求項６に記載のヘアカーラー。
【考案の詳細な説明】
【技術分野】
【０００１】      本考案は、巻き髪をつくるヘアカーラーを外出時に役立つ装飾品とするとともに、外出先で巻き髪を保持し、かつ巻き髪を完成させるものである。
【背景技術】
【０００２】      巻き髪をアレンジする場合、外出前にヘアカーラーやホットカーラーでセットするが、移動中にカールがとれてしまった場合は、外出先で持参したヘアアイロン等によりセットし直していた。
【考案の概要】
【考案が解決しようとする課題】
【０００３】      雨の日や湿気の多い日は、外出前にヘアカーラーやホットカーラーで巻き髪をセットしても、時間が経過すると元に戻ってしまうことが多かった。外出先で再度セットし直すため、ヘアアイロン等を持参する女性も少なくない。用具を持ち歩く手間や、セットし直す場所や時間、労力の負担を解消するため、移動中にヘアアクセサリーとして使用し、かつ外出先で巻き髪を保持し、かつ目的地において巻き髪を完成させるヘアカーラーを考案したものである。
この考案の目的は、外出先で使用でき、アクセサリーとして活用できるヘアカーラーを提供することである。
【課題を解決するための手段】
【０００４】      請求項１に記載の考案は、ロール部に第１の装飾部材を装着するものである。
請求項２に記載の考案は、ロール部をはさむヘアクリップに第２の装飾部材を装着するヘアカーラーである。
請求項３に記載の考案は、第２の装飾部材に第１〜３の装飾部を装着し、ヘアクリップを目立たないようにするヘアカーラーである。
請求項４に記載の考案は、ロール部の外周に滑り止め部材を装着するヘアカーラーである。
請求項５に記載の考案は、ロール部の両端面を閉鎖型とするヘアカーラーである。
請求項６に記載の考案は、ロール部の両端面のうち少なくとも一方が開放した開放型とするヘアカーラーである。
請求項７に記載の考案は、開放側のロール部の外周と滑り止め部材の間に第１の装飾部材を挟んで保持するヘアカーラーである。
【考案の効果】
【０００５】      外出先で使用でき、アクセサリーとして活用できるヘアカーラーを提供できる。
【図面の簡単な説明】
【０００６】
【図１】リボン付きロール部にリボン付きヘアクリップを装着した実施例を、正面左下から見た斜視図である。
【図２】リボン付きロール部にリボン付きヘアクリップを装着した実施例を、真上から見た平面図である。
【図３】両端面を閉鎖型とした円筒形のロール部に、滑り止めのスポンジを巻き付けた説明図である。
【図４】両端面を開放型とした円筒形のロール部に、滑り止めのスポンジを巻き付けた説明図である。
【図５】ロール部を側面から見た断面図、および端面から見た断面図である。
【図６】ロール部の両端面に装着するリボンの説明図である。
【図７】スポンジを巻きつけたロール部の両端面に、接着剤等でリボンを装着した実施例を正面左下から見た斜視図である。
【図８−Ａ】ロール部の両端面を開放型とし、１本のリボンをロール内部に通して装着した断面図である。
【図８−Ｂ】ロール部の両端面を開放型とし、２本のリボンをロール外周面に沿わせ、滑り止めのスポンジを巻き付けて装着した断面図である。
【図８−Ｃ】ロール部の両端面を開放型とし、４本のリボンをロール内部の一部に貼り付けて装着した説明図である。
【図９】ヘアクリップを正面右から見た斜視図である。
【図１０−Ａ】ヘアクリップを開放した状態を側面から見た説明図である。
【図１０−Ｂ】ヘアクリップを閉鎖した状態を側面から見た説明図である。
【図１１】２つのリボンに掛け渡し部が付加された、ヘアクリップ用のリボン形状の説明図である。
【図１２】リボンを装着したヘアクリップが開放した状態を、正面右から見た斜視図である。
【考案を実施するための形態】
【０００７】      図１は、本考案のヘアカーラーを正面左下から見た斜視図である。リボン（第１の装飾部材）２を付けた１および３からなるロール部を、リボン（第２の装飾部材）５を装着したヘアクリップ４ではさんだ状態を示している。
【０００８】      図２は、図１を真上から見た平面図である。各部に関しては、以下に説明する。
【０００９】      図３に示すように、ロール部は円筒形である。ロール部は、円形状の芯材１と、芯材１の外周を覆うように巻き付けられた円筒状のスポンジ（滑り止め部材）３とを含む。
芯材１は、髪色に近い黒色または茶色のプラスチック製である。
図３に示すように、ロール部は芯材１の両端面が閉鎖された閉鎖型であってもよい。この場合、図６の蝶結びのリボン２を芯材１の両端面に装着することが可能である。
また図４に示すように、ロール部は芯材１の両端面が開放する開放型であってもよい。
【００１０】      図５は、開放型ロール部側面の断面図、および端面から見た断面図である。
スポンジ３は、芯材と同色である。スポンジ３は、芯材１の胴体部分の外周全域を覆っている。スポンジ３を設けることにより、ロール部に髪がしっかり巻き付くようになっている。
【００１１】      図６は、ロール部端面に装着するリボン２を端面側から見た図である。
【００１２】      図７は、スポンジ３を巻き付け、ロール部両端面にリボン２を装着したロール部を正面左下から見た斜視図である。芯材１およびスポンジ３が露出しないよう、リボン２で覆い隠すことで装飾性を高めるものである。
【００１３】      図８−Ａ、図８−Ｂ、図８−Ｃは、開放型ロール部にリボン２を装着する場合の方法を示している。
図８−Ａは、１本のリボンを芯材１の空洞部分に通し、ロール部の両端面にて一対の蝶結びをつくる方法を示したロール部側面の断面図である。リボン２は、両端面の芯材１およびスポンジ３と接着剤にて貼り付けて固定する。
図８−Ｂは、２本のリボンを芯材１の外周面に沿わせ、その上にスポンジ３を巻き付けてリボンを固定した後、ロール部の両端面で２本のリボンを使って蝶結びをつくる方法を示したロール部側面の断面図である。リボン２が安定しにくい場合は、芯材１およびスポンジ３を、接着剤を用いて固定するものである。
図８−Ｃは、４本のリボンを使用し、ロール部の内部に各リボンの端を固着する方法を示している。図では芯材の内側に固着させる方法を描いているが、芯材の外周に４本のリボンをそれぞれ接着した後にスポンジ３を巻き付けて保持する方法もある。
【００１４】      図９は、ロール部に髪を巻き付けた後、髪が元に戻らないようホールドするプラスチック製のヘアクリップ４を、正面右から見た斜視図である。ヘアクリップ４は、一対の歯状部４１、４２（第１の歯状部４１および第２の歯状部４２）と、把持部４３、４４と、第１の歯状部４１および第２の歯状部４２を、互いに閉じる閉状態に向けて付勢するようにつなぐ連結部４５とを含んでいる。
【００１５】      図１０−Ａ、図１０−Ｂは、ヘアクリップ４を側面から見た説明図２点である。
図１０−Ａは、把持部４３と４４を指ではさんで歯状部４１、４２を開いた説明図である。
図１０−Ｂは把持部４３、４４から指を離した際の説明図あり、歯状部４１、４２でロール部をはさみ、指を離すことでバネを含む部材４５の力により歯状部４１、４２が再び閉じてロール部がホールドされる仕組みである。
【００１６】      図１１は、図９のヘアクリップ４に装着するヘアクリップ用リボン５の説明図であり、ヘアクリップ４の歯状部４１、４２の外側を覆う２つのリボン（第１の装飾部）５１、リボン（第２の装飾部）５２と、把持部４３、４４を目立たなくするための装飾部であって、リボン５１とリボン５２とをつなぐ掛け渡し部（第３の装飾部）５３で構成されている。
【００１７】      図１２は、ヘアクリップ用リボン５をヘアクリップ４に装着した実施図を、正面右から見た斜視図である。リボン５１を歯状部４１の外側に取り付け、掛け渡し部５３を把持部４３、４４の上部に渡し、リボン５２を反対側の歯状部４２の外側に取り付けることで、装飾性の高いヘアクリップを実現している。把持部４３、４４に掛け渡し部５３を装着した実施例については、図２の平面図に示している。
【００１８】      第１の装飾部材および第２の装飾部材についてリボンを例に挙げて説明したが、装身用造花、ジュエリー、ストーン、人工毛、人毛でも対応可能であることを付記する。
なお、開放型のロール部は、両端面の一方のみが開放するものであってもよい。
以上により、ヘアアクセサリーとしての装飾性と、移動中に巻き髪を保持し、外出先で外すことでセットし直すことなく巻き髪となる機能性を兼ね備えたヘアカーラーを考案するものである。
本ヘアカーラーを使用することで、外出前に従来のヘアカーラーやドライヤー、ホットカーラー等で髪を整える時間が短縮できる。
また、雨の日や湿気の多い日もセットの乱れを気にしなくてよい上に、外出先でヘアカーラーを外して巻き髪を楽しむことが可能となる。
【符号の説明】
【００１９】    １  ロール部用プラスチック製芯材
２  ロール部用リボン
３  ロール部用スポンジ
４  ヘアクリップ
５  ヘアクリップ用リボン
【図１】
0003205685.tif 000003
【図２】
0003205685.tif 000004
【図３】
0003205685.tif 000005
【図４】
0003205685.tif 000006
【図５】
0003205685.tif 000007
【図６】
0003205685.tif 000008
【図７】
0003205685.tif 000009
【図８−Ａ】
0003205685.tif 000010
【図８−Ｂ】
0003205685.tif 000011
【図８−Ｃ】
0003205685.tif 000012
【図９】
0003205685.tif 000013
【図１０−Ａ】
0003205685.tif 000014
【図１０−Ｂ】
0003205685.tif 000015
【図１１】
0003205685.tif 000016
【図１２】
0003205685.tif 000017